(57)【要約】【課題】壁部と昇降式什器との間の前後方向の隙間を確実に閉塞することができる目地材および目地材付き昇降式什器を提供する。【解決手段】壁部３０の前方に配置される昇降式什器１Ａに設けられた第１取付面２１Ａに取付けられ、壁部３０と昇降式什器１Ａとの間の前後方向の隙間を閉塞する目地材１０であって、第１取付面２１Ａに固定される基部と、基部の後端部から後方に向けて延び、かつ壁部３０と上下方向に摺動自在に当接する当接部と、を備え、当接部の前端部における上下方向の厚みは、基部の後端部における上下方向の厚みよりも小さく、当接部の前後方向の大きさは、基部の前後方向の大きさよりも小さい。【選択図】図１
2019010431.tif 000002
【特許請求の範囲】
【請求項１】
壁部の前方に配置される昇降式什器に設けられた第１取付面に取付けられ、前記壁部と前記昇降式什器との間の前後方向の隙間を閉塞する目地材であって、
前記第１取付面に固定される基部と、
前記基部の後端部から後方に向けて延び、かつ前記壁部と上下方向に摺動自在に当接する当接部と、を備え、
前記当接部の前端部における上下方向の厚みは、前記基部の後端部における上下方向の厚みよりも小さく、
前記当接部の前後方向の大きさは、前記基部の前後方向の大きさよりも小さいことを特徴とする目地材。
【請求項２】
前記基部における上下方向の厚みは、後側に向かうに従い漸次大きくなっており、
前記当接部における上下方向の厚みは、後側に向かうに従い漸次小さくなっていることを特徴とする請求項１に記載の目地材。
【請求項３】
前記当接部は、前方に向けて弾性変形した状態で、前記壁部と摺動自在に当接することを特徴とする請求項１又は２に記載の目地材。
【請求項４】
前記当接部の前端部は、前記基部の後端部における上側に接続され、
前記基部の後端部における下側には、下方に向けて延びる固定部が設けられ、
前記固定部は、前記昇降式什器において、前記第１取付面の後端部から下方に向けて延びる第２取付面に固定されることを特徴とする請求項１から３のいずれか１項に記載の目地材。
【請求項５】
前記固定部と前記当接部との上下方向の間には、前方に向けて窪む基端凹部が形成されていることを特徴とする請求項４に記載の目地材。
【請求項６】
前記当接部の後端部には、低摩擦部が設けられていることを特徴とする請求項１から５のいずれか１項に記載の目地材。
【請求項７】
壁部の前方に配置される昇降式什器と、
前記昇降式什器に設けられた第１取付面に取付けられ、前記壁部と前記昇降式什器との間の前後方向の隙間を閉塞する目地材と、を備え、
前記目地材は、請求項１から６のいずれか１項に記載の目地材であることを特徴とする目地材付き昇降式什器。
【発明の詳細な説明】
【技術分野】
【０００１】
本発明は、目地材、および目地材付き昇降式什器に関する。
【背景技術】
【０００２】
従来から、下記特許文献１に示されるように、壁部の前方に配置される昇降式什器に設けられた取付面に取付けられ、壁部と昇降式什器との間の前後方向の隙間を閉塞する目地材が知られている。この目地材は、弾性変形可能に形成され、壁部と上下方向に摺動自在に当接している。このとき、目地材は弾性変形することで、壁部と昇降式什器との間の前後方向の隙間を閉塞している。
【先行技術文献】
【特許文献】
【０００３】
【特許文献１】特開平１１−２９９６６６号公報
【発明の概要】
【発明が解決しようとする課題】
【０００４】
しかしながら、前記従来の目地材では、目地材全体が弾性変形する。このため、例えば壁部の前面に凹凸があるような場合には、目地材の弾性変形量が過度に大きくなりすぎることで、変形の態様が安定しないことがあった。具体的には、上下方向に摺動させると、目地材が波打ったりめくれたりすることがあった。これにより、目地材と壁部との間に部分的に隙間が生じ、壁部と昇降式什器との間の前後方向の隙間を閉塞できないおそれがあった。
【０００５】
本発明は、前述した事情に鑑みてなされたものであって、壁部と昇降式什器との間の前後方向の隙間を確実に閉塞することができる目地材および目地材付き昇降式什器を提供することを目的とする。
【課題を解決するための手段】
【０００６】
前記課題を解決するために、本発明は以下の手段を提案している。
本発明に係る目地材は、壁部の前方に配置される昇降式什器に設けられた第１取付面に取付けられ、前記壁部と前記昇降式什器との間の前後方向の隙間を閉塞する目地材であって、前記第１取付面に固定される基部と、前記基部の後端部から後方に向けて延び、かつ前記壁部と上下方向に摺動自在に当接する当接部と、を備え、前記当接部の前端部における上下方向の厚みは、前記基部の後端部における上下方向の厚みよりも小さく、前記当接部の前後方向の大きさは、前記基部の前後方向の大きさよりも小さいことを特徴とする。
【０００７】
この場合、当接部の前端部における上下方向の厚みが、昇降式什器の第１取付面に固定される基部の後端部における上下方向の厚みよりも小さくなっている。また、当接部の前後方向の大きさが、基部の前後方向の大きさよりも小さくなっている。これらにより、当接部を弾性変形しやすく構成しながら、当接部全体の変形量が大きくなりすぎるのを抑制することが可能になる。このため、例えば壁部に凹凸等があり、壁部と昇降式什器との間の前後方向の隙間の大きさが、壁部の位置によりばらつくような場合等であっても、当接部の変形の態様を安定させることが可能になり、当接部と壁部との間に、部分的な隙間が生じるのを抑えることができる。これにより、壁部と昇降式什器との間の前後方向の隙間を確実に閉塞することができる。
【０００８】
また、前記基部における上下方向の厚みは、後側に向かうに従い漸次大きくなっており、前記当接部における上下方向の厚みは、後側に向かうに従い漸次小さくなってもよい。
【０００９】
この場合、基部および当接部それぞれの形状に基づいて、目地材の変形の程度を調整することが可能になる。また、当接部の上下方向の厚みのうち、後端部の上下方向の厚みが最も小さくなることから、当接部の壁部に対する接触面積を小さく抑えることができる。これらにより、当接部が、壁部に繰り返し摺動した際の基部と当接部との接続部分の耐久性を確保しながら、壁部に対する摺動抵抗を抑えることができる。
【００１０】
前記当接部は、前方に向けて弾性変形した状態で、前記壁部と摺動自在に当接してもよい。
【００１１】
この場合、当接部が、前方に向けて弾性変形した状態で、壁部の前面と当接している。このため、例えば壁部の前面に凹凸等があり、壁部と昇降式什器との間の前後方向の隙間の大きさが、壁部の位置によりばらつくような場合等であっても、当接部の弾性変形量を変化させることができる。これにより、当接部の後端部が、壁部に追従して変位するように、当接部が前後方向に変形することが可能になる。これにより、壁部と昇降式什器との間の前後方向の隙間を、より一層確実に閉塞することができる。
【００１２】
また、前記当接部の前端部は、前記基部の後端部における上側に接続され、前記基部の後端部における下側には、下方に向けて延びる固定部が設けられ、前記固定部は、前記昇降式什器において、前記第１取付面の後端部から下方に向けて延びる第２取付面に固定されてもよい。
【００１３】
この場合、目地材の固定部が、第２取付面に固定されている。このため、第２取付面により固定部を支持することが可能になる。これにより、例えば当接部が、壁部上を繰り返し摺動するような場合等において、目地材の当接部に、壁部からの抵抗力が繰り返し加えられたとしても、第２取付面が固定部を介して基部を支持することで、目地材が、昇降式什器から離脱するのを確実に防ぐことができる。
【００１４】
また、前記固定部と前記当接部との上下方向の間には、前方に向けて窪む基端凹部が形成されてもよい。
【００１５】
この場合、目地材における基端凹部の近傍を起点として、当接部を前後方向に変形しやすくすることが可能になり、壁部と昇降式什器との間に隙間が生じるのをより一層効果的に抑えることができる。
【００１６】
また、前記当接部の後端部には、低摩擦部が設けられてもよい。
【００１７】
この場合、昇降式什器の昇降に伴って、当接部が壁部上を摺動する際に、当接部の後端部に設けられた低摩擦部により、当接部の後端部と壁部との間の摺動抵抗を低減することができる。
【００１８】
また、本発明に係る目地材付き昇降式什器は、壁部の前方に配置される昇降式什器と、前記昇降式什器に設けられた第１取付面に取付けられ、前記壁部と前記昇降式什器との間の前後方向の隙間を閉塞する目地材と、を備え、前記目地材は、前述した目地材のうちのいずれか１つであることを特徴とする。
【００１９】
この場合、目地材付き昇降式什器において、前述した目地材それぞれにおける各作用効果を奏功させることができる。
【発明の効果】
【００２０】
本発明によれば、壁部と昇降式什器との間の前後方向の隙間を確実に閉塞することができる。
【図面の簡単な説明】
【００２１】
【図１】本発明の一実施形態に係る目地材付き昇降式什器の側面図である。
【図２】図１に示す目地材付き昇降式什器を、図１に示す状態から上昇させた状態を示す図である。
【図３】図１に示す目地材の断面拡大図である。
【図４】図３に示す目地材の単体での状態を示す図である。
【発明を実施するための形態】
【００２２】
以下、図面を参照し、本発明の一実施形態に係る目地材付き昇降式什器１および目地材１０について説明する。
図１に示すように、目地材付き昇降式什器１は、壁部３０の前方に配置される昇降式什器１Ａと、昇降式什器１Ａに設けられた第１取付面２１Ａに取付けられ、壁部３０と昇降式什器１Ａとの間の前後方向の隙間を閉塞する目地材１０と、を備えている。
昇降式什器１Ａは、壁部３０の前方に配置された椀状の洗面ボウル２０と、洗面ボウル２０から下方に向けて延びる図示しない配管と、配管の側面を覆う配管カバー２５と、配管カバー２５から下方に連なる脚部２６と、を備えている。すなわち、昇降式什器１Ａは洗面台である。以下の説明において、壁部３０に直交する方向を前後方向といい、上下方向および前後方向の双方向に直交する方向を左右方向という。
【００２３】
洗面ボウル２０には、配管から供給される上水を洗面ボウル２０の内側に流出する図示しない蛇口が設けられている。図１および図２に示すように、洗面ボウル２０、配管、および配管カバー２５は、脚部２６に対して昇降自在に配設されている。これにより、使用者が使用するのに適した高さに合わせて、洗面ボウル２０の高さを任意に調整することができる。
【００２４】
図１に示すように、第１取付面２１Ａは、洗面ボウル２０の上面に設けられている。また、洗面ボウル２０には、第１取付面２１Ａの後端部から下方に向けて延びる第２取付面２１Ｂが設けられている。
洗面ボウル２０は、例えば陶器等のセラミックス材料、ガラス材料、または金属材料等により形成されている。
【００２５】
図３に示すように、目地材１０は、第１取付面２１Ａに固定される基部１１と、基部１１の後端部から後方に向けて延び、かつ壁部３０と上下方向に摺動自在に当接する当接部１２と、を備えている。
基部１１および当接部１２は、例えばゴム材料、又はエラストマー材料等の弾性材料により形成されている。図示の例では、基部１１および当接部１２は、同一の材料で一体に形成されている。目地材１０は、第１取付面２１Ａにおける左右方向の全域にわたって延びている。目地材１０は、左右方向から見た側面視における形状が、左右方向の全域において同等となっている。
【００２６】
そして本実施形態では、図４に示すように、当接部１２の前端部における上下方向の厚みＴ２は、基部１１の後端部における上下方向の厚みＴ１よりも小さくなっている。当接部１２の前端部における上下方向の厚みＴ２は、基部１１の後端部における上下方向の厚みＴ１の約半分になっている。なお、当接部１２の前端部における上下方向の厚みＴ２は、基部１１の後端部における上下方向の厚みＴ１に対して半分以上であってもよいし、半分未満であってもよい。
【００２７】
また、当接部１２の前後方向の大きさＬ２は、基部１１の前後方向の大きさＬ１よりも小さくなっている。当接部１２の前後方向の大きさＬ２は、基部１１の前後方向の大きさＬ１の半分未満となっている。なお、当接部１２の前後方向の大きさＬ２は、基部１１の前後方向の大きさＬ１の半分以上でもよい。
【００２８】
基部１１および当接部１２はそれぞれ、側面視で三角形状をなしている。基部１１における上下方向の厚みは、後側に向かうに従い漸次大きくなっている。当接部１２における上下方向の厚みは、後側に向かうに従い漸次小さくなっている。当接部１２の前端部は、基部１１の後端部における上側に接続されている。当接部１２の後端部が、壁部３０の前面３１と当接し、前面３１上を摺動する摺動部１２Ａとされている。
基部１１の下面には、接着シート１５が貼付されている。この接着シート１５を、図３に示すように、洗面ボウル２０の第１取付面２１Ａに接着することで、基部１１を第１取付面２１Ａに固定することができる。
【００２９】
また本実施形態では、基部１１の後端部における下側には、下方に向けて延びる固定部１３が設けられている。固定部１３は表裏面が前後方向を向く板状をなしている。固定部１３は、基部１１と同一の材料により一体に形成されている。
固定部１３の前面には、接着シート１５が貼付されている。この接着シート１５を、洗面ボウル２０の第２取付面２１Ｂに接着することで、固定部１３を第２取付面２１Ｂに固定することができる。
【００３０】
また本実施形態では、当接部１２は、前方に向けて弾性変形した状態で、壁部３０と摺動自在に当接している。
当接部１２の摺動部１２Ａは、前記側面視で壁部３０の前面３１に沿って、前面３１と平行に上下方向に延びている。すなわち目地材１０は、基部１１と当接部１２との接続部分を起点として、上方に向けて屈曲している。なお、当接部１２は、下方に向けて屈曲していてもよい。
【００３１】
また本実施形態では、固定部１３と当接部１２との上下方向の間には、前方に向けて窪む基端凹部１４が形成されている。基端凹部１４は、目地材１０の前記側面視における固定部１３の上方で、かつ基部１１の後方に位置している。基端凹部１４は鋭角をなし、左右方向の全域に渡って延びている。また、基端凹部１４の近傍に、基部１１と当接部１２との接続部分が位置している。
【００３２】
また本実施形態では、当接部１２の後端部には、低摩擦部（表面処理部）１２Ｂが設けられている。低摩擦部１２Ｂは、摺動部１２Ａに設けられ、目地材１０における他の部分よりも摩擦係数が低くなっている。低摩擦部１２Ｂには、壁部３０の前面３１との摺動抵抗を低減させる表面処理が施されている。低摩擦部１２Ｂは、当接部１２のうち、壁部３０の前面３１と当接しうる領域を被覆している。低摩擦部１２Ｂは、平滑で低摩擦となっている。図示の例では、低摩擦部１２Ｂは、フッ素樹脂からなる被膜層である。
なお、目地材１０又は当接部１２の全体に表面処理が施されてもよい。表面処理としては、例えば、微小な凹凸を設けることや、摺動性の良い被膜を形成すること等が挙げられる。
【００３３】
次に、目地材付き昇降式什器１を昇降させた際の目地材１０の動作について説明する。
洗面ボウル２０、配管、および配管カバー２５が、図１に示す下降端位置と、図２に示すような上昇端位置と、の間を、脚部２６に対して上下方向に相対移動する。この際、目地材１０は当接部１２を弾性変形させた状態を維持したまま、壁部３０の前面３１上を上下方向に摺動する。
そして、昇降式什器１Ａと、壁部３０の前面３１と、の間の前後方向の隙間の大きさが、狭く変化するような場合には、当接部１２が、基部１１との接続部分回りに前方に向けて更に弾性変形することで、壁部３０の前面３１に追従する。
また、昇降式什器１Ａと、壁部３０の前面３１と、の間の前後方向の隙間の大きさが、広く変化するような場合には、当接部１２が、基部１１との接続部分回りに後方に向けて復元変形することで、壁部３０の前面３１に追従する。
これらにより、当接部１２の摺動部１２Ａが、壁部３０の前面３１に当接した状態を維持しながら、壁部３０の前面３１上を摺動する。
【００３４】
以上説明したように、本実施形態に係る目地材付き昇降式什器１によれば、当接部１２の前端部における上下方向の厚みＴ２が、昇降式什器１Ａの第１取付面２１Ａに固定される基部１１の後端部における上下方向の厚みＴ１よりも小さくなっている。また、当接部１２の前後方向の大きさが、基部１１の前後方向の大きさよりも小さくなっている。
これらにより、当接部１２を弾性変形しやすく構成しながら、当接部１２全体の変形量が大きくなりすぎるのを抑制することが可能になる。このため、例えば壁部３０に凹凸等があり、壁部３０と昇降式什器１Ａとの間の前後方向の隙間の大きさが、壁部３０の位置によりばらつくような場合等であっても、当接部１２の変形の態様を安定させることが可能になり、当接部１２と壁部３０との間に、部分的な隙間が生じるのを抑えることができる。
これにより、壁部３０と昇降式什器１Ａとの間の前後方向の隙間を確実に閉塞することができる。
【００３５】
また、基部１１における上下方向の厚みが、後側に向かうに従い漸次大きくなっており、当接部１２における上下方向の厚みが、後側に向かうに従い漸次小さくなっている。
このため、基部１１および当接部１２それぞれの形状に基づいて、目地材１０の変形の程度を調整することが可能になる。また、当接部１２の上下方向の厚みのうち、後端部の上下方向の厚みが最も小さくなることから、当接部１２の壁部３０に対する接触面積を小さく抑えることができる。これらにより、当接部１２が、壁部３０の前面３１に繰り返し摺動した際の基部１１と当接部１２との接続部分の耐久性を確保しながら、壁部３０に対する摺動抵抗を抑えることができる。
【００３６】
また、当接部１２が、前方に向けて弾性変形した状態で、壁部３０と摺動自在に当接している。
このため、例えば壁部３０の前面３１に凹凸等があり、壁部３０と昇降式什器１Ａとの間の前後方向の隙間の大きさが、壁部３０の位置によりばらつくような場合等であっても、当接部１２の弾性変形量を変化させることができる。これにより、当接部１２の摺動部１２Ａが、壁部３０の前面３１に追従して変位するように、当接部１２が前後方向に変形することが可能になる。これにより、壁部３０と昇降式什器１Ａとの間の前後方向の隙間を、より一層確実に閉塞することができる。
【００３７】
また、当接部１２が、前方に向けて弾性変形した状態で、壁部３０の前面３１に当接していることから、洗面ボウル２０が繰り返し昇降し、当接部１２の摺動部１２Ａが、壁部３０の前面３１上を繰り返し摺動することで、仮に摩耗することがあっても、当接部１２が後方に向けて復元変形することが可能になる。これにより、当接部１２と壁部３０との間に隙間が生じるのを確実に防ぐことができる。
また、当接部１２が、前方に向けて弾性変形した状態で、壁部３０の前面３１に当接していることから、当接部１２における摺動部１２Ａの、壁部３０の前面３１に対する面圧を高めることが可能になる。これにより、当接部１２によるシール性を、より一層向上することができる。
【００３８】
また、基部１１の後端部における下側に、下方に向けて延びる固定部１３が設けられ、固定部１３が、昇降式什器１Ａにおける第２取付面２１Ｂに固定されている。このため、第２取付面２１Ｂにより固定部１３を支持することが可能になる。これにより、例えば当接部１２が、壁部３０の前面３１を繰り返し摺動するような場合等において、目地材１０の当接部１２に、壁部３０からの抵抗力が繰り返し加えられたとしても、第２取付面２１Ｂが固定部１３を介して基部１１を支持することで、目地材１０が、昇降式什器１Ａから離脱するのを確実に防ぐことができる。
【００３９】
また、固定部１３と当接部１２との上下方向の間には、前方に向けて窪む基端凹部１４が形成されているので、目地材１０における基端凹部１４の近傍を起点として、当接部１２を上下方向に変形しやすくすることが可能になる。これにより、壁部３０と昇降式什器１Ａとの間に隙間が生じるのをより一層効果的に抑えることができる。
【００４０】
また、当接部１２の摺動部１２Ａには、目地材１０における他の部分と比較して、摩擦係数の小さい低摩擦部が設けられている。このため、昇降式什器１Ａの昇降に伴って、当接部１２の摺動部１２Ａが、壁部３０の前面３１上を摺動する際に、当接部１２設けられた低摩擦部により、当接部１２の後端部と壁部３０との間の摺動抵抗を低減することができる。
【００４１】
なお、本発明の技術的範囲は前記実施形態に限定されるものではなく、本発明の趣旨を逸脱しない範囲において種々の変更を加えることが可能である。
【００４２】
例えば、上記実施形態においては、基部１１における上下方向の厚みが、後側に向かうに従い漸次大きくなっており、当接部１２における上下方向の厚みが、後側に向かうに従い漸次小さくなっている構成を示したが、このような態様に限られない。基部１１および当接部１２それぞれの形状は、任意に変更可能である。
また、上記実施形態においては、当接部１２が前方に向けて弾性変形した状態で、壁部３０と摺動自在に当接する構成を示したが、このような態様に限られない。当接部１２が前方に向けて弾性変形していない状態で、壁部３０と摺動自在に当接してもよい。
【００４３】
また、上記実施形態においては、基部１１の後端部における下側に、固定部１３が設けられた構成を示したが、このような態様に限られない。目地材１０に固定部１３が設けられなくてもよい。
また、上記実施形態においては、固定部１３と当接部１２との上下方向の間に、基端凹部１４が形成されている構成を示したが、このような態様に限られない。目地材１０に基端凹部１４が形成されなくてもよい。
【００４４】
また、上記実施形態においては、当接部１２の後端部に、目地材１０における他の部分と比較して、摩擦係数の小さい低摩擦部が設けられている構成を示したが、このような態様に限られない。当接部１２の後端部に低摩擦部が設けられなくてもよい。
また、上記実施形態においては、目地材１０が、接着シート１５により昇降式什器１Ａに固定された構成を示したが、このような態様に限られない。目地材１０は、例えば接着剤等により昇降式什器１Ａに固定されてもよい。
【００４５】
また、上記実施形態においては、目地材付き昇降式什器１として、洗面台である構成を示したが、このような態様に限られない。目地材付き昇降式什器１は、例えばキッチン、カウンター、ウォールキャビネット、およびフロアキャビネット等であってもよい。またこれらの各什器は、昇降可能に配設された構成に限られず、左右方向に移動可能であってもよい。
また、上記実施形態においては、目地材１０がシール部材として用いられる構成を示したが、このような態様に限られない。目地材１０は、例えば、目地材付き昇降式什器１の扉と扉枠との間、又はドアとドア枠との間等の隙間を塞ぐ隙間ゴムとして使用してもよい。
【００４６】
また、上記実施形態においては、目地材１０における基部１１、当接部１２、および固定部１３が、同一の材料で一体に形成されている構成を示したが、このような態様に限られない。基部１１および当接部１２は別体に形成してもよいし、二色成形等により、異なる材料を用いて一体に形成してもよい。また、固定部１３を、金属材料等により形成されたインサート品に対するインサート成形により形成してもよい。これにより、固定部１３の剛性を確保しながら、当接部１２に要求される弾性および摺動性を、容易に具備させることができる。
【００４７】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００４８】
１  目地材付き昇降式什器
１Ａ  昇降式什器
１０  目地材
１１  基部
１２  当接部
１２Ａ  摺動部
１２Ｂ  低摩擦部
１３  固定部
１４  基端凹部
２０  洗面ボウル
２１Ａ  第１取付面
２１Ｂ  第２取付面
３０  壁部
【図１】
2019010431.tif 000003
【図２】
2019010431.tif 000004
【図３】
2019010431.tif 000005
【図４】
2019010431.tif 000006